(57)【特許請求の範囲】
【請求項１】
棒状本体（２５）の内部に上端から略下端まで盲孔（２６）を設け、該本体（２５）の略下端外周面に形成した小径部（２８）の両側に夫々４５度の斜面部（２９、２９）を径方向に形成し、各斜面部（２９）の中間部に直交させて形成した複数のノズル（３１、３１）を前記盲孔（２６）に連通させると共に、周方向に等間隔に設けてなる本体（２５）と、
前記棒状本体の小径部（２８）を内部に収容させると共に、底面に複数の分岐パイプ（１６、１６）を夫々別個に接続させて内部を密封した空間部（２４）を有するハウジング（２１）とで分配装置(１４)を設けてなり、
圧力容器（１０）の口部にバルブ(１１)を装着し、このバルブ（１１）と分配装置（１４）とをパイプ（１２）で連結し、前記分岐パイプの先端に夫々接続した二股パイプ(１８)の先端に分岐ノズル（２０）（２０）を夫々装着し、
前記棒状本体（２５）をハウジングの空間部（２４）内に配し、前記小径部（２８）を介して向かい合う各ノズル（３１、３１）から噴出する冷気ガスを前記小径部の周囲で衝突させて円周方向に形成した気液混合物質で膜状に形成された飛抹微粒子によって該ハウジングの空間部（２１）内の気液微粒子の濃度を均一化し、各分岐パイプ（１６、１６）に均一に分配させるようにしたことを特徴とする液化ガスの分配装置。
【発明の詳細な説明】
【０００１】
【発明の属する技術分野】
本発明は生鮮食料品や冷凍食品などの鮮度を保持する液化ガスを均一に複数分配する分配装置に関するものである。
【０００２】
【従来の技術】
従来、液体窒素などの液体ガスを収容した圧力容器１の口部に取付けたバルブ２に連結したパイプ４の一端に分配器5を装着し、この分配器５に複数の分岐パイプ７、７を夫々接続し、各分岐パイプ７の先端から冷却ガスを噴出させるノズル８、８を夫々装着してある。従来の分配器5は、単に複数の分岐パイプ７、７を連結した構造で、パイプ２内を送られた液化ガスは大、中、小まばらな粒子となって配管や分配器などを通過するため、分岐パイプに様々な形状の粒子となってノズルに向かうので、各ノズル先端からは均一な量の液化ガスを分配することができない。
【０００３】
粒子形状の不均一な状態で混入したガスが各分岐パイプ７、７に進入すると、該分岐パイプ内に詰まってしまい（大きな粒子が通過しようとすると背匡が配管内に発生する）、ガスが流れにくくなって均一に噴出することができなかった。また、複数の分岐パイプ７に夫々冷気ガスが進入すると、粒子形状の粒の大きさによってガスの流入量が相違し、各分岐パイプの先端に装着したノズル８から夫々噴出する冷却ガスの量が不揃いであった。即ち、従来のガス分配器5は、パイプ7から該分配器に流入するガス流速が速いため断熱膨張時の気化による損失が多く、貯蔵タンク圧下より大気圧下への変換効率がよくなかった。
【０００４】
【発明が解決しようとする課題】
前記したように、分配器5を介して圧力容器1に連結した複数の分岐パイプ7に冷気ガスが供給され、各分岐パイプ7の先端に装着させたノズル8から該冷気ガスが噴出するが、前記分配気内で、急激に体積を膨張した際に粒子形状の不均一が生じ、分岐パイプの通りが悪くなりノズルから噴出する冷却ガスが不揃いとなって冷却温度に差が生じるという問題点を有していた。
本発明は、圧力容器から供給される冷気ガスを分配装置青介して各分岐ノズルから均一に噴出させるようにすることを目的とする。
【０００５】
【課題を解決するための手段】
本発明は、棒状本体２５の内部に上端から略下端まで盲孔２６を設け、該本体２５の略下端外周面に形成した小径部２８の両側に夫々４５度の斜面部２９、２９を径方向に形成し、各斜面部２９の中間部に直交させて形成した複数のノズル３１、３１を前記盲孔２６に連通させると共に、周方向に等間隔に設けてなる本体２５と、前記棒状本体の小径部２８を内部に収容させると共に、底面に複数の分岐パイプ１６、１６を夫々別個に接続させて内部を密封した空間部２４を有するハウジング２１とで分配装置１４を設けてなり、圧力容器１０の口部にバルブ１１を装着し、このバルブ１１と分配装置１４とをパイプ１２で連結し、前記分岐パイプの先端に夫々接続した二股パイプ１８の先端に分岐ノズル２０、２０装着し、前記棒状本体２５をハウジングの空間部２４内に配し、前記小径部２８を介して向かい合う各ノズル３１、３１から噴出する冷気ガスを前記小径部の周囲で衝突させて円周方向に形成した気液混合物質で膜状に形成された飛抹微粒子によって該ハウジングの空間部２１内の気液微粒子の濃度を均一化し、各分岐パイプ１６、１６に均一に分配させるようにしたことを特徴とする。
【０００６】
盲孔に連通して該本体の下部外周に設けた小径部の両側に夫々対称的に形成した４５度の斜面部に、円周方向に一定間隔毎に複数の小径のノズルを設け、各ノズルから噴出する冷気ガスを各小径部の周囲で衝突させることにより、互いに断熱膨張時の潜熱を有効に利用すると共に、互いに対向して設けたノズルから噴出する冷気ガスが衝突して円周方向に形成した飛沫微粒子によって、ハウジングの空間部内の気液濃度を均一化し、粒子形状の不均一化の発生を防止することができる。
【０００７】
【発明の実施の形態】
図２−４において、液体窒素や液体酸素等の冷却用の液化ガスを収容する圧力容器１０の口部にバルブ１１を装着し、このバルブ１１と分配装置１４とをパイプ１２で連結してある。この分配装置１４の底部に夫々複数の分岐パイプ１６、１６を取付け、各分岐パイプの先端に夫々接続した二股パイプ１８の先端に分岐ノズル２０、２０を夫々装着してある。
【０００８】
図５、６において、分配装置１４を説明すると、２１は細長に形成して断面略方形または円形に形成し、且っ、内部を密閉して空間部２４を設けたハウジングで、中間上方に円筒部２２を一体に形成し、この円筒部の上部を閉鎖してその中心に螺条穴２３を設けてある。このハウジングの螺条穴２３に棒状本体２５の上部に設けた螺条部２５ａを螺着させ、該本体の内部には上端から略下端まで盲孔２６を形成してある。
【０００９】
この本体２５の略下部外周面に設けた小径部２８の両側と、該本体の外周面との間に対称的に４５度の斜面部２９、２９を径方向に形成し、各斜面部２９の中間部には該斜面に対して直交させて小径のノズル３１、３１を円周方向に等間隔に複数 （本実施例では２４ケ）穿ってある。このノズル３１の一端は前記盲孔２６に連通し、他端は本体２５の外側，即ち、前記斜面部２９，２９の中間部分に開口し、該棒状本体２５の下部に設けた小径部２８は前記ハウジング２１内に位置してある。この斜面部２９の中間部分に円周方向に等間隔に設けたノズル３１の口径は、０．４〜１．４ｍｍに形成してあり、好ましくは０．８ｍｍに形成してある。
【００１０】
互いに向かい合うノズル３１、３１の中心を通る直線上であって、該本体２５の外周に位置したハウジングの空間部２４内の内壁面に衝突した飛沫微粒子３２は、気液混合物質で膜状に形成されており、前記飛沫微粒子３２によって粒子を均一化している。即ち、ハウジングの空間部２４における気液微粒子の濃度を均一化し、分岐パイプ１６へ均等に分配し易くしている。
【００１１】
本実施の形態の作用について説明すると、例えば、液化窒素ガスを７ｋｇ／ｃｍ２の圧力で充填している圧力容器１０内の液体温度は、一１７２℃であり、圧力容器１０から噴出する液化ガスは、パイプ１２を通って棒状本体２５の盲孔２６内に供給される。該盲孔２６内に圧入したガスは、該盲孔の内壁面に半径方向であって周方向に等間隔毎に設けてある複数のノズル３１から放出させる。ここで液化ガスとは、液化窒素ガス、液化酸素ガス、液化アルゴンガス等をいう。
【００１２】
このノズル３１、３１からハウジングの空間部２４内に放出されたガスは、飛沫微粒子の状態で放出されるが、気体と液体の粒子密度を均一化し、分岐パイプ１６および二股パイプ１８を通ってノズル２０より放出されるものである。
【００１３】
【発明の効果】
本発明は、本体に設けた盲孔内に圧入した冷気ガスが、該本体の略下端外周に設けた小径部の両側に対称的に設けた４５度の斜面部の中間部分に開口して円周方向に対称的に設けた複数のノズルから放出した液化ガスが互いに衝突することにより生じた飛沫微粒子によってハウジングの空間部内に放出したガスの気液混合物質を均一化し、不均一粒子の混入を防止して分岐パイプ内を均γ粒子で詰めた液化ガスを分配し、生鮮食料品等の新鮮さを保持し、また、該生鮮食料品等の製造工程の短縮化を図ることができる。
【図面の簡単な説明】
【図１】  従来の圧力容器と分配ノズルとを分配装置で連結した状態の正面図である。
【図２】  本発明にかかる分配装置で圧力容器と分岐パイプとの配管状態を示す平面図である。
【図３】  一部省略した図３の側面図である。
【図４】  一部省略した図３の側面図である。
【図５】  下部に複数の分岐パイプを接続した分配装置の縦断面図である。
【図６】  図５のＡ−Ａ線方向の一部省略した拡大断面図である。
【符号の説明】
１４      分配装置
１６      分岐パイナ
２１      ハウジング
２４      空間部
２５      棒状本体
２６      盲孔
２８      小径部
２９      斜面部
３１      ノズル
３２      飛沫粒子
【図１】
0003827398.tif 000002
【図２】
0003827398.tif 000003
【図３】
0003827398.tif 000004
【図４】
0003827398.tif 000005
【図５】
0003827398.tif 000006
【図６】
0003827398.tif 000007